(57)【要約】【課題】複数の圃場で農作業したときの農作業情報が、どの圃場に対応しているかを正確に判定することができるようにする。【解決手段】農作業情報管理装置は、農作業情報及び衛星測位システムによって検出された農業機械の作業位置を記憶する情報記憶部と、作業位置及び地図データを用いて情報記憶部に記憶された農作業情報を圃場毎に整理する情報整理部とを備えている。情報整理部は、情報記憶部に記憶された作業位置に基づいて農業機械の変化位置を演算する位置変化演算部と、変化位置と、地図データに基づいて定められた圃場の基準位置とのズレ量を求めるズレ量演算部と、ズレ量演算部で求めたズレ量と農業機械のイベント発生とに基づいて、情報記憶部に記憶された農作業情報が地図データで示されたどの圃場に対応しているかを判定する情報対応関係判定部とを備えている。【選択図】図１
2014071705.tif 000002
【特許請求の範囲】
【請求項１】
農業機械が複数の圃場で農作業したときの農作業情報と衛星測位システムによって検出された前記農業機械の作業位置とを対応付けて記憶する情報記憶部と、前記各圃場の地図データを記憶する地図データ記憶部と、前記作業位置及び前記地図データを用いて前記情報記憶部に記憶された前記農作業情報を圃場毎に整理する情報整理部とを備えており、
前記情報整理部は、
前記情報記憶部に記憶された作業位置に基づいて前記農業機械の変化位置を演算する位置変化演算部と、
前記変化位置と、前記地図データに基づいて定められた圃場の基準位置とのズレ量を求めるズレ量演算部と、
前記ズレ量演算部で求めたズレ量と前記農業機械のイベント発生とに基づいて、前記情報記憶部に記憶された農作業情報が前記地図データで示されたどの圃場に対応しているかを判定する情報対応関係判定部と、
を備えていることを特徴とする農作業情報管理装置。
【請求項２】
前記情報記憶部に、複数の農作業情報が順に記憶され、前記ズレ量演算部は、前記地図データ内の一圃場の基準位置と前記変化位置とのズレ量を求めており、
前記情報対応関係判定部は、前記ズレ量が所定値以上であるときの前記イベント発生時を起点として、一圃場に対応する農作業情報と、一圃場とは異なる他圃場に対応する農作業情報との判定を行うことを特徴とする請求項１に記載の農作業情報管理装置。
【請求項３】
前記情報対応関係判定部は、前記農業機械が作業を開始してから前記ズレ量が所定値以上で発生したイベント発生までの間に、前記情報記憶部に記憶された複数の農作業情報のうち、前記イベント発生時の農作業情報を前記他圃場に対応する農作業情報とし、残りの農作業情報を一圃場に対応する農作業情報とすることを特徴とする請求項２に記載の農作業情報管理装置。
【請求項４】
前記位置変化演算部は、前記農業機械が移動したときの前記作業位置を平均して前記変化位置として求め、前記ズレ量演算部は、前記変化位置と、前記地図データに基づいて求められた圃場の基準位置である重心位置とのズレ量を求めることを特徴とする請求項１〜３のいずれかに記載の農作業情報管理装置。
【請求項５】
前記情報対応関係判定部は、前記ズレ量と、前記農業機械であるコンバインにおいてグレンタンク内の作物を排出するイベント発生とに基づいて、前記情報記憶部に記憶された農作業情報がどの前記圃場に対応しているかを判定することを特徴とする請求項１〜４のいずれかに記載の農作業情報管理装置。
【請求項６】
農業機械が圃場で農作業したときの農作業情報と衛星測位システムによって検出された前記農業機械の作業位置とを対応付けて記憶する情報記憶部と、前記各圃場の地図データを記憶する地図データ記憶部と、前記作業位置及び前記地図データを用いて前記情報記憶部に記憶された前記農作業情報を圃場毎に整理する情報整理部とを備え、
前記情報整理部は、
前記情報記憶部に記憶された作業位置に基づいて前記農業機械の変化位置を演算する位置変化演算部と、
前記変化位置と、前記地図データに基づいて定められた圃場の基準位置とのズレ量を求めるズレ量演算部と、
前記ズレ量演算部で求めたズレ量と前記農業機械のイベント発生とに基づいて、前記情報記憶部に記憶された農作業情報が前記地図データで示されたどの圃場に対応しているかを判定する情報対応関係判定部と、
を備えていることを特徴とする農作業情報管理システム。
【発明の詳細な説明】
【技術分野】
【０００１】
本発明は、コンバイン、田植機等の農業機械で農作業したときの農作業情報を取得して整理する農作業情報管理装置及び農作業情報管理システムに関する。
【背景技術】
【０００２】
近年、圃場での作業計画の効率化や圃場で収穫した収穫物の品質等を高めるため、圃場で作業した農作業情報を収集して活用することが望まれている。コンバインなどの農業機械を用いて農作業情報を収集する技術として、例えば、特許文献１に示すものがある。
特許文献１では、作物収穫機に、作物の収穫に伴って作物の品質を計測する作物品質計測手段と、その作物品質計測手段にて計測された品質の計測情報を機外に出力可能な情報出力手段とが備えられ、情報出力手段から出力される複数の収穫場所の各々に対応する品質の計測情報を収集する計測情報収集手段と、この計測情報収集手段にて収集された収集情報に基づいて、複数の収穫場所に対応する作物の地域毎の品質マップを求めて出力する品質マップ作成手段とを備えている。この特許文献１では、各収穫場所の計測情報は、ＧＰＳ衛星によって得られた作物収穫機の位置に基づいて求めることとしている。
【先行技術文献】
【特許文献】
【０００３】
【特許文献１】特開平１１−０５３６７４号公報
【発明の概要】
【発明が解決しようとする課題】
【０００４】
特許文献１では、複数の収穫場所の各々に対応する品質の計測情報を用いることによって各収穫場所における品質マップを作成することができる。しかしながら、特許文献１は、ＧＰＳ衛星によって得られた作物収穫機の位置に大きな誤差があると、各収穫場所に対応する品質マップを作成することが難しいのが実情である。また、ＧＰＳ衛星によって得られた作物収穫機の位置にそれほど誤差が含まれない場合であっても、隣接する収穫場所では、計測した計測情報が、どちらの収穫場所のものであるか区別することが難しいことがあった。  そこで、本発明は上記問題点に鑑み、複数の圃場で農作業したときの農作業情報が、どの圃場に対応しているかを正確に判定することができる農作業情報管理装置及び農作業情報管理システムを提供することを目的としたものである。
【課題を解決するための手段】
【０００５】
この技術的課題を解決するための本発明の技術的手段は、以下に示す点を特徴とする。
請求項１に係る発明では、農業機械が複数の圃場で作業したときの農作業情報と衛星測位システムによって検出された前記農業機械の作業位置とを対応付けて記憶する情報記憶部と、前記各圃場の地図データを記憶する地図データ記憶部と、前記作業位置及び前記地図データを用いて前記情報記憶部に記憶された前記農作業情報を圃場毎に整理する情報整理部とを備えており、前記情報整理部は、前記情報記憶部に記憶された作業位置に基づいて前記農業機械の変化位置を演算する位置変化演算部と、前記変化位置と、前記地図データに基づいて定められた圃場の基準位置とのズレ量を求めるズレ量演算部と、前記ズレ量演算部で求めたズレ量と前記農業機械のイベント発生とに基づいて、前記情報記憶部に記憶された農作業情報が前記地図データで示されたどの圃場に対応しているかを判定する情報対応関係判定部と、を備えていることを特徴とする。
【０００６】
請求項２に係る発明では、前記情報記憶部に、複数の農作業情報が順に記憶され、前記ズレ量演算部は、前記地図データ内の一圃場の基準位置と前記変化位置とのズレ量を求めており、前記情報対応関係判定部は、前記ズレ量が所定値以上であるときの前記イベント発生時を起点として、一圃場に対応する農作業情報と、一圃場とは異なる他圃場に対応する農作業情報との判定を行うことを特徴とする。
【０００７】
請求項３に係る発明では、前記情報対応関係判定部は、前記農業機械が作業を開始してから前記ズレ量が所定値以上で発生したイベント発生までの間に、前記情報記憶部に記憶された複数の農作業情報のうち、前記イベント発生時の農作業情報を、前記他圃場に対応
する農作業情報とし、残りの農作業情報を一圃場に対応する農作業情報とすることを特徴とする。
【０００８】
請求項４に係る発明では、前記位置変化演算部は、前記農業機械が移動したときの前記作業位置を平均して前記変化位置として求め、前記ズレ量演算部は、前記変化位置と、前記地図データに基づいて求められた圃場の基準位置である重心位置とのズレ量を求めることを特徴とする。
請求項５に係る発明では、前記情報対応関係判定部は、前記ズレ量と、前記農業機械であるコンバインにおいてグレンタンク内の作物を排出するイベント発生とに基づいて、前記情報記憶部に記憶された農作業情報がどの前記圃場に対応しているかを判定することを特徴とする。
【０００９】
請求項６に係る発明では、農業機械が圃場で農作業したときの農作業情報と衛星測位システムによって検出された前記農業機械の作業位置とを対応付けて記憶する情報記憶部と、前記各圃場の地図データを記憶する地図データ記憶部と、前記作業位置及び前記地図データを用いて前記情報記憶部に記憶された前記農作業情報を圃場毎に整理する情報整理部とを備えた情報管理装置とを備え、前記情報整理部は、前記情報記憶部に記憶された作業位置に基づいて前記農業機械の変化位置を演算する位置変化演算部と、前記変化位置と、前記地図データに基づいて定められた圃場の基準位置とのズレ量を求めるズレ量演算部と、前記ズレ量演算部で求めたズレ量と前記農業機械のイベント発生とに基づいて、前記情報記憶部に記憶された農作業情報が前記地図データで示されたどの圃場に対応しているかを判定する情報対応関係判定部と、を備えていることを特徴とする。
【発明の効果】
【００１０】
本発明によれば、以下の効果を奏する。
請求項１及び請求項６に係る発明によれば、複数の圃場で農作業した場合において、各圃場で取得した農作業情報が、どの圃場に対応しているかを正確に判定することができる。
請求項２に係る発明によれば、一圃場と他圃場との２つの圃場について農作業を連続に行ったとしても、それぞれの圃場でのイベント発生を用いることにより、収集した農作業情報を、一圃場での農作業情報と他圃場での農作業情報とに簡単に分けることができる。
【００１１】
請求項３に係る発明によれば、イベントが発生するまでの間に収集した農作業情報を、イベント発生をきっかけとして、圃場毎に分けることができる。
請求項４に係る発明によれば、圃場の重心位置と、農業機械の作業位置の平均である変化位置とのズレ量とを用いているため、農業機械で作業した圃場を容易に特定することができ、農作業した圃場に、農作業情報を容易に対応付けすることができる。
【００１２】
請求項５に係る発明によれば、コンバインにて作物を収穫しながら農作業を行ったときの農作業情報を、容易に圃場に対応付けすることができる。
【図面の簡単な説明】
【００１３】
【図１】農作業情報管理システムの全体図である。
【図２】農作業情報である水分、食味、収穫量の測定について説明する説明図である。
【図３】情報記憶部に保存した農作業情報及び作業位置の一例を示す図である。
【図４】各圃場の位置関係を示す図である。
【図５】圃場で作物を収穫するときのコンバインの動きとズレ量との関係を示す図である
【図６】圃場Ａズレ量及び圃場Ｂズレ量の増減傾向を示す図である。
【図７】圃場Ａから続けて圃場Ｂで農作業を行うときのコンバインの移動軌跡を示す図である。
【図８】圃場Ａ及び圃場Ｂで農作業を行った場合でのズレ量の傾向と、排出イベントのタイミングとの関係図である。
【図９】農作業情報管理システム（農作業情報管理装置）の変形例を示した図である。
【図１０】コンバインの全体側面図である。
【発明を実施するための形態】
【００１４】
以下、本発明の実施の形態を図面に基づいて説明する。
図１は、農作業情報管理システムの全体図を示したものである。
図１、４に示すように、農作業情報管理システム１は、コンバインや田植機等の農業機械２を用いて、圃場３内で農作業したときの農作業情報（農作業情報という）を当該農業機械２で収集し、収集した農作業情報を圃場毎に管理するものである。
【００１５】
具体的には、農作業情報管理システム１では、農業機械１の作業位置を衛星測位システム（Global Positioning System、Positioning systemなど）を用いて検出ししながら、農業機械１の農作業情報を収集する。収集した農作業情報や作業位置は、携帯端末などの通信機器を用いてサーバ等から構成された農作業情報管理装置６に送信し、農作業情報管理装置６によって圃場毎に農作業情報が整理される。圃場毎に整理された農作業情報は、例えば、圃場３で農作業するときの作業計画に利用したり、農作業を行った作業日報などの作成等に用いることができる。
【００１６】
まず、コンバインを例にとり、農業機械の構成について説明する。
図１０はコンバインの全体図を示している。
コンバイン２は、左右一対の走行装置１１を備えた機体１２に、運転席１３、エンジン１４、脱穀処理する脱穀装置１５、脱穀された作物を貯留するグレンタンク１６等を備えて構成されたもので、機体１２の前側には、作物（例えば、穀物）を刈り取る刈取部１７が設けられている。
【００１７】
図１，２に示すように、コンバイン２は、農作業を行ったときの農作業情報として作物の水分、食味、収穫量などを測定する手段を備えている。具体的には、コンバイン２は、作物に含まれる水分量を測定する水分測定部２０と、作物の食味を計測する食味測定部２１と、作物の収穫量を測定する収穫量測定部２２とを備えている。水分測定部２０と食味測定部２１とは、グレンタンク１６の内部、又は、グレンタンク１６の周囲に設けられている。
【００１８】
食味測定部２１は、近赤外光を作物に照射して、透過光の分光分析に基づいて吸収スペクトルを解析し、その解析結果により、作物に含まれるタンパク質等の成分量を求める。収穫量測定部２２は、ロードセル等で構成されている。
図２（ａ）に示すように、農作業情報の中で、水分及び食味の測定は、グレンタンク１６に入れられる作物の一部を測定ケース２３に入れ、測定ケース２３に入れられた作物の水分及び食味を、水分測定部２０や食味測定部２１によって測定することによって行われる。
【００１９】
図２（ｂ）に示すように、測定ケース２３内の作物は、測定が終了するとグレンタンク１６内に入れられる。また、収穫量は、グレンタンク１６内が作物で満杯になった時などに、グレンタンク１６の重量を収穫量測定部２２によって測定し、グレンタンク１６の重量を収穫量に換算することによって求める。
即ち、水分及び食味は、測定ケース２３に作物を貯めてサンプリング用の作物を確保後、当該サンプリング用の作物を測定し、一方、収穫量は、グレンタンク１６内の作物が満杯になった時点等にグレンタンクの重量を測定しているため、水分及び食味のサンプリング周期と、収穫量のサンプリング周期とは異なり、水分及び食味のサンプリング周期は、収穫量のサンプリング周期よりも周期が短くなる。
【００２０】
さて、コンバイン２には、衛星測位システムの１つであるＧＰＳ衛星等の信号を受信して位置（例えば、緯度、経度）を検出する位置検出装置２５が備えられている。この位置検出装置２５によってコンバイン２が農作業を行ったときの作業位置を検出することができる。
なお、位置検出装置２５を、ＧＰＳ衛星等の信号を受信して位置を検出可能な携帯端末（タブレットＰＣや電話機能を有するスマートフォン等）で構成してもよい。この場合、コンバイン２を操作する操作者が携帯端末を持参して当該コンバイン２を操作するか又は
携帯端末をコンバイン２内に設置して、携帯端末の位置をコンバイン２の作業位置とすればよい。
【００２１】
ここで、作物の水分や食味の測定が終了すると、水分や食味の測定時（測定終了時）でのコンバイン２の作業位置が、水分及び食味に関連付けられ、水分及び食味は、コンバイン２を制御する制御装置２６、又は、コンバイン２に設けられた無線通信機器２７に送信される。また、作物の収穫量の測定が終了すると、収穫量の測定時（測定終了時）でのコンバイン２の作業位置が、収穫量に関連付けられ、収穫量は、制御装置２６又は無線通信機器２７に送信される。
【００２２】
そして、農作業情報（水分、食味、収穫量等）と、作業位置は、制御装置２６又は無線通信機器２７等に一時的に保存される。これら、制御装置２６や無線通信機器２７等に一時的に保存された農作業情報及び作業位置は、例えば、外部との無線通信を行う無線通信機器２７を介して農作業情報管理装置６に送信される。
図３に示すように、農作業情報管理装置６は、水分、食味、収穫量、作業位置を受信すると、当該農作業情報管理装置６に設けられた情報記憶部３０に、所定の間隔で順に、水分、食味、収穫量、作業位置を記憶（保存）する。即ち、情報記憶部３０には、所定の間隔（作業位置の検出間隔）で、複数の農作業情報（水分、食味、収穫量）が保存されることになる。例えば、コンバイン２が第１位置（経度34.55989、緯度135.467494）から第２位置（経度34.56449、緯度135.472094）まで移動する間に、情報記憶部３０には、２４個の農作業情報が保存されることになる。
【００２３】
位置検出装置２５で検出できる作業位置の精度（位置精度）は、数十ｃｍ〜数ｍ程度であり、高性能なものは数ｃｍであるのが実情である。このように、位置精度が数ｃｍである位置検出装置２５は開発されているものの、位置精度が数ｃｍであるものは非常に高価であり、コンバインの作業位置を検出するものとして採用することは難しい。
即ち、コンバイン２等に採用される位置検出装置２５は、位置精度（測定誤差）が数十ｃｍ〜数ｍであるものが多く、これらの誤差を含んだ作業位置を用いて、コンバイン２が位置する圃場３を特定することは、従来の技術では難しい。
【００２４】
また、図４に示すように、圃場３は一般的に長方形状であって、規則的に縦や横並びになっていることが多いため、形状的な差が少なく、この点からも、作業位置のみによる圃場の特定は難しい。例えば、圃場Ａ、圃場Ｂ、圃場Ｃ、圃場Ｄのうち、圃場Ａでコンバイン２による農作業を行った場合を考える。
圃場Ａで農作業を開始した直後の時点では、コンバイン２は圃場３の入口側に位置することになるが、圃場３の入口は、圃場Ａだけでなく圃場Ｂにも近いため、位置検出装置２５によって、コンバイン２の１点の作業位置を検出したとしても、位置検出装置２５による作業位置には誤差が含まれるため、１点のみの作業位置を見ただけでは、実際のコンバイン２が圃場Ａに居るのか圃場Ｂに居るのか判定が行い難い。
【００２５】
そこで、本発明では、複数の作業位置と、地図データとを用いて後述するような処理を行うことによって、農作業情報と圃場３との対応（関連性）を適正に決定することとしている。特に、本発明では、地図データから求められる圃場の重心位置（中心位置）と作業位置とを用いて、圃場に対応する農作業情報を決定することとしている。
以下、本発明の農作業情報管理装置及び農作業情報管理システムについて説明する。
【００２６】
農作業情報管理システム１におけるコンバイン２は、上述した水分、食味、収穫量の他に、農作業情報として、コンバイン２のイベントが発生したときの情報を制御装置２６に一時的に保存して、農作業情報管理装置６に送信する。
具体的には、コンバイン２にて農作業を行っている状況下で、グレンタンク１６に作物を貯める動作から作物を排出する動作に切り換えるイベント（排出イベントということがある）が発生したとき、グレンタンク１６から作物を排出したことを示すイベント内容と、イベント発生時の作業位置を制御装置２６に一時的に保存する。そして、これらイベント内容及びイベント発生時の作業位置とを、農作業管理装置に送信する。
【００２７】
この実施形態の場合は、作物排出レバー（籾排出レバー）を切りの状態から入りの状態にしてグレンタンク１６内の作物をアンローダを介して外部に排出したことを示す排出イ
ベントのフラグと、排出イベント発生時の位置情報とを、コンバイン２から農作業情報管理装置６に送信する。この場合、情報記憶部３０には、図３に示すように、排出イベントが発生したことを示すフラグと、位置情報とが関連付けられて保存される。なお、排出イベントが発生したタイミングが必要な場合は、排出イベントが発生時の位置情報だけでなく、発生した時間をコンバイン側で検出して、その発生時間を農作業情報管理装置６の情報記憶部３０に保存してもよい。
【００２８】
農作業情報管理装置６は、コンバイン２から送信された農作業情報を収集して、収集後に農作業情報をオフラインにて整理するものである。農作業情報管理装置６は、農作業情報管理装置６は、例えば、ユーザ等が所有するパーソナルコンピュータ、農業管理会社が所有する管理サーバ等で構成されている。コンバイン２を用いて所定の圃場３で農作業（収穫作業）を行うと自動的にコンバイン２の制御装置２６に、農作業を行ったときの農作業情報が自動的に収集（保存）される。コンバイン２（制御装置２６）に保存された農作業情報は、農作業情報管理装置６に送信される。
【００２９】
なお、農作業情報管理装置６に農作業情報を送信する方法は、どのような方法であってもよい。例えば、自動で、定期的（１日毎、１週間毎）に農作業情報を農作業情報管理装置６に送信してもよいし、作業者がコンバイン２の運転席周りに設けた表示装置等を操作することにより送信する農作業情報を決定して無線通信機器２７を介して農作業情報管理装置６に農作業情報等を送信してもよいし、無線通信機器２７を無線通信する携帯端末等を手動操作して当該携帯端末を介して農作業情報等を農作業情報管理装置６に送信してもよいし、その他の方法で送信してもよい。
【００３０】
この農作業情報管理装置６は、農作業情報及び作業位置を記憶する情報記憶部３０と、複数の圃場３の地図データを記憶する地図データ記憶部３１と、作業位置及び地図データを用いて農作業情報を圃場毎に整理する情報整理部３２とを備えている。
情報記憶部３０は、不揮発性のメモリ等で構成され、上述したように、コンバイン２から送信された複数の農作業情報（水分、食味、収穫量、イベント内容）及び作業位置（緯度、経度）を記憶すると共に、農作業を行ったときの作業位置とを関連付けて記憶する。
【００３１】
地図データ記憶部３１も、情報記憶部３０と同様に、不揮発性メモリ等から構成されており、複数の圃場３に関する地図データ（例えば、圃場３の緯度、経度、圃場３の輪郭など）を記憶する。また、地図データ記憶部３１には、圃場毎の重心位置（圃場の中心）が格納されている。なお、地図データ記憶部３１に圃場毎の重心位置が格納されていない場合であっても、地図データには、圃場３の輪郭線（各辺）に対応する緯度及び経度が含まれるため、地図データを用いると圃場３の重心位置を求めることも可能である。
【００３２】
情報整理部３２は、ＣＰＵやプログラム等から構成されており、農作業情報（水分、食味、収穫量、イベント内容）、作業位置（緯度、経度）、地図データ等を用いて、農作業情報の整理を行う。情報整理部３２は、例えば、収集した複数の農作業情報の中で、まず、各農作業情報を圃場毎に分け、分けた農作業情報について必要に応じて整理を行う。例えば、圃場毎に分けた複数の農作業情報を用いて、圃場毎の水分や食味を求めたり、圃場毎の収穫量を求める。情報整理部３２は、数学等の様々な手法によって農作業情報を整理するものであるが、その整理の仕方は、どのような方法であってもよい。
【００３３】
この情報整理部３２は、位置変化演算部４０と、ズレ量演算部４１と、情報対応関係判定部４２とを備えている。これら位置変化演算部４０、ズレ量演算部４１及び情報対応関係判定部４２は、ＣＰＵやプログラム等から構成されている。
位置変化演算部４０は、情報記憶部３０に保存された複数の作業位置を用いて、コンバイン２が農作業したときの位置変化を求めるものである。具体的には、位置変化演算部４０は、情報記憶部３０に保存された作業位置の平均を求める（情報記憶部３０内の複数の作業位置に対して、先頭から後ろに掛けて順番に作業位置を足し合わせていき、足し合わせた作業位置を総数で割る）。作業位置の平均値を変化位置とする。なお、位置変化演算部４０は、作業位置を読み込む毎に、既に読み込んだ作業位置の平均を算出する。即ち、作業位置の個数がｎ個ある場合、位置変化演算部４０は、ｎ個の作業位置の平均を求める。例えば、ｎ−１０個目の作業位置を読み込んだ場合、位置変化演算部４０は、ｎ−１０
個の作業位置における平均を求め、ｎ−２個目の作業位置を読み込んだ場合、ｎ−２個の作業位置の平均を求め、それぞれの平均を保持する。
【００３４】
次に、コンバイン２による農作業（作物の収穫）と、コンバイン２の作業位置の変化について説明する。
図５（ａ）に示すように、コンバイン２で作物の収穫を行う場合、圃場３の入口から畦際（圃場３の１辺）に沿って条刈りを行いながら、入口の反対側まで進み、この反対側で９０度ターンして、圃場３の一辺と略直交する圃場３の他辺（２辺）に沿って進み、横刈りを行う。２辺の近傍での横刈りが終わった後は、圃場３の１辺と略平行な３辺に沿って進みながら条刈りをして、３辺近傍での条刈りが終了すると、４辺に沿って進みながら横刈りを行う。即ち、コンバイン２で作物の収穫を行う場合、圃場３の入口から圃場３の各辺（輪郭線）に沿って反時計回りに周りながら、作物の収穫を行う。
【００３５】
このようにコンバイン２は畦際に沿って反時計回りに移動しつつ、次第に圃場３の中心に向かいながら収穫作業を行うため、コンバイン２で収穫作業（農作業）を行ったときの作業位置の平均値（変化位置）の傾向を見ると、変化位置は、コンバイン２の移動量の増加に伴い、圃場３の中心へ向かって変化する。
例えば、図５（ａ）に示すように、圃場３の入口であるＰ１から圃場３の入口の反対側であるＰ２までコンバイン２が移動した場合、Ｐ１からＰ２までの作業位置の平均値（変化位置）は、図５（ｂ）に示すように、圃場３の中心（重心位置）とは離れている。
【００３６】
さらに、コンバイン２が圃場３内を移動し、例えば、Ｐ３で圃場３内を２周した場合、Ｐ１からＰ３までの作業位置の平均値（変化位置）は、圃場３の中心（重心位置）とほぼ同じとなる。即ち、コンバイン２で農作業を行うにあたっては、入口から反時計回りに周りながら圃場３の中心へ向けて作業が行われるため、図５に示すように、コンバイン２の反時計回りの移動量が増加するに伴って、変化位置は、圃場３の重心位置に近づくことになる。
【００３７】
圃場３の重心位置は、それぞれ圃場によって異なる。そのため、上述したように、変化位置を求めたとき、求めた変化位置が所定の圃場３における重心位置とほとんど変わらない場合は、コンバイン２は、重心位置を有する圃場３で農作業を行ったと推測することができる。
まとめると、圃場３で作業を開始した時点から順番に、任意の作業位置までの変化位置（平均）を計算していき、変化位置とほぼ一致する重心位置を有する圃場３が存在した場合、この圃場３で農作業を行ったことを検出することができる。
【００３８】
農作業情報管理装置６では、ズレ量演算部４１によって、位置変化演算部４０で求めた変化位置と、圃場３の基準位置である重心位置とのズレ量を求める。情報対応関係判定部４２は、ズレ量演算部４１で求めたズレ量に基づいて、コンバイン２が農作業を行った圃場がどの圃場であるか、即ち、情報記憶部３０に記憶されている作業情報がどの圃場に対応しているかを判定する。
【００３９】
ズレ量演算部４１と、情報対応関係判定部４２とについて詳しく説明する。
ズレ量演算部４１は、情報記憶部３０に記憶された農作業情報を整理するとき、まず、農作業を行った候補となる圃場３（候補圃場）についての重心位置を地図データから読み出す。なお、候補圃場の設定は、限定されないが、予め作業者（ユーザ）が農作業情報管理装置６に設定しておいた圃場３を候補圃場としてもよい。或いは、農作業情報管理装置６が情報記憶部３０に保存された作業位置を参照し、作業位置の周辺の複数の圃場３を自動的にピックアップして、ピックアップした複数の圃場３を候補圃場としてもよい。
【００４０】
以下、説明の便宜上、一の圃場Ａ（一圃場ということがある）と、この圃場Ａに隣接する圃場Ｂ（他圃場ということがある）との２つの圃場３が候補圃場とし、説明を進める。
ズレ量演算部４１は、一圃場である圃場Ａの重心位置と位置変化演算部４０により求めた変化位置とのズレ量（圃場Ａズレ量）を求めると共に、他圃場である圃場Ｂの重心位置と位置変化演算部４０により求めた変化位置とのズレ量（圃場Ｂズレ量）を求める。
【００４１】
ここで、情報記憶部３０には、圃場Ａで農作業を行ったときの作業位置と農作業情報とが保存されていたとすると、圃場Ａズレ量は、図６（ａ）に示す傾向となり、圃場Ｂズレ
量は、図６（ｂ）に示す傾向になる。図６（ａ）、（ｂ）に示すように、圃場Ａズレ量は、最初は大きいものの次第に収束して小さい値となり、圃場Ｂズレ量は、収束するものの大きい値のままでとなる。
【００４２】
圃場Ａと圃場Ｂとの計算結果を見比べたとき、圃場Ａに対応する圃場Ａズレ量は圃場Ｂズレ量よりも小さく、且つ、ズレ量自体（絶対値）も所定値以下で小さくなる。したがって、農作業情報管理装置６は、情報記憶部３０に保存されている農作業情報は、圃場Ａに対応するものであると判断する。そして、農作業情報管理装置６は、圃場Ａズレ量が所定値以下であって収束した収束区間（安定区間）に対応する作業情報と、収束区間が始まる区間開始ポイントよりも前の作業情報とを圃場Ａに対応する作業情報とする。
【００４３】
以上まとめると、候補圃場の重心位置と変化位置とのズレ量を候補圃場毎に複数求め、この候補圃場毎のズレ量の中で、ズレ量の変動が少なく、最もズレ量が小さい候補圃場を、農作業を行った圃場３として決定することができる。また、ズレ量の変動が少なく安定した区間（収束区間）の位置情報に対応する作業情報を、農作業を行った圃場３のものであると判定することもできる。
【００４４】
さて、上述したように、ズレ量を見ることによってコンバイン２が農作業した圃場を特定し、且つ、農作業を行いながら収集した複数の作業情報がどの圃場に対応しているか決めることができるが、図７に示すように、圃場Ａでの農作業が終了し、これに続けて、圃場Ｂで農作業を行うことがある。このような場合は、どの時点で、コンバイン２が圃場Ａから圃場Ｂに移り変わり、収集した複数の作業情報の中で、どの部分が圃場Ｂに対応するものであるか判定する必要がある。
【００４５】
そこで、本発明では、上述したようにズレ量だけでなく、コンバイン２が農作業を行ったときの排出イベント発生のタイミングも用いて、複数の作業情報のうち、圃場Ａに対応する農作業情報と、圃場Ｂに対応する農作業情報との区別を情報対応関係判定部４２によって行うこととしている。
なお、農作業を行ったときの作業情報を収集するシステムでは、圃場Ａから圃場Ｂに移り変わる前に、圃場Ａから圃場Ｂに持ち越してしまうデータをリセットすることとしている。例えば、作業情報の１つである収穫量は、グレンタンク１６の重量に基づいて求めるため、グレンタンク１６に作物を入れたまま、コンバイン２が圃場Ａから圃場Ｂに移り変わると、収集した収穫量が圃場Ａのものであるのか、圃場Ｂのものであるのかを混同する可能性がある。そのため、圃場Ａから圃場Ｂへ農作業が移り変わる場合、圃場Ａで農作業が終了した時点（例えば、６回目の排出イベント）で、グレンタンク１６内の作物を排出し、圃場Ｂで農作業を開始する前までに、グレンタンク１６を空にした後、圃場Ｂにおける農作業を開始することとしている。
【００４６】
次に、ズレ量（圃場Ａズレ量）と、排出イベント発生のタイミングとを用いて情報対応関係判定部４２について説明する。
図８は、圃場Ａ及び圃場Ｂで農作業を行った場合でのズレ量の傾向と、排出イベントのタイミングとをまとめたものである。
圃場Ａの農作業に続けて、圃場Ｂの農作業を行った場合、情報記憶部３０には、圃場Ａの作業位置と圃場Ｂの作業位置との両方が格納される。そのため、ズレ量の計算には、圃場Ａの作業位置と圃場Ｂの作業位置とのデータが使用されることになるため、圃場Ａズレ量の傾向を見ると、図８に示すように、一旦、圃場Ａに対応する重心位置付近で収束していた圃場Ａズレ量は、圃場Ｂでの作業位置の影響によって、圃場Ａとされる所定値を超え、次第に増加することになる。
【００４７】
一方、圃場Ａで農作業を行った場合でも、圃場Ｂで農作業を行った場合でも、グレンタンク１６内の作物が満タンなった時点で、グレンタンク１６内の作物を外部に排出するという排出イベントが発生する。排出イベントは、グレンタンク１６内の作物が満タンになる度に発生すると共に、圃場Ａから圃場Ｂへ農作業を切り換える際にも行う。
例えば、圃場Ａの農業作業中に、複数回の排出イベントがあったとする。圃場Ａ内で発生した排出イベントと、そのときの圃場Ａズレ量とを見比べてみると、当該排出イベント時の前後でも、圃場Ａズレ量は増加してない。しかしながら、図８に示すように、圃場Ｂ
の農業作業中での排出イベント時は、圃場Ａズレ量が所定値以上となる。このように、圃場Ｂへのコンバイン２の移動に伴って変化する圃場Ａズレ量と、排出イベントとを見ることによって、複数の農作業情報のうち、圃場Ａに対応する農作業情報なのか、圃場Ｂに対応する農作業情報なのかを判別することが可能となる。
【００４８】
ここで、圃場Ａから圃場Ｂで農作業を行った際、８回の排出イベントが発生したとし、情報対応関係判定部４２について説明する。
情報対応関係判定部４２は、農作業情報を整理する際、まず、情報記憶部３０に記憶された農作業情報の中から排出イベントが発生したときの作業位置を抽出する。情報対応関係判定部４２は、例えば、１回目〜８回目までの排出イベントの作業位置を抽出する。
【００４９】
そして、情報対応関係判定部４２は、１回目〜８回目の排出イベントの各作業位置を用いて、各排出イベント発生時での圃場Ａズレ量を参照し、この中から収束期間後であって圃場Ａズレ量が所定値以上となっている７回目、８回目の排出イベントを抽出する。そして、初めに圃場Ａズレ量が所定値以上となった排出イベント（最初排出イベント）がどれであるか判定する。
【００５０】
情報対応関係判定部４２は、最初排出イベントが発生した時（７回目の排出イベント）を起点とて、７回目の排出イベント時の農作業情報は、圃場Ｂに対応ていると判定し、最初排出イベントよりも以降（８回目の排出イベント）に収集された農作業情報も、圃場Ｂに対応しているとする。
最初排出イベントよりも以前に収集された農作業情報（６回目の排出イベント以前の農作業情報は、圃場Ａに対応しているものとする。つまり、情報対応関係判定部４２は、圃場Ａズレ量が所定値以上であるときの最初排出イベント発生時を起点として、Ａ圃場３（一圃場）に対応する農作業情報と、圃場Ｂ（他圃場）に対応する農作業情報との判定を行っている。
【００５１】
言い換えれば、コンバイン２が作業を開始してから、圃場Ａズレ量が所定値以上となり且つ最初排出ベント発生時までの間に、情報記憶部３０に記憶された複数の農作業情報を見たとき、情報対応関係判定部４２は、最初排出イベント発生時の農作業情報を圃場Ｂに対応する農作業情報とし、残りの農作業情報を圃場Ａに対応する農作業情報としている。
より詳しく説明すると、情報対応関係判定部４２は、７回目の排出イベントを行ったときの圃場Ａズレ量が所定値以上であるため、７回目の排出イベントは圃場Ａではなく圃場Ｂで行ったと判定する。そして、情報対応関係判定部４２は、６回目の排出イベントが終了後、７回目の排出イベントが開始されるまでの間で収集した水分、食味は圃場Ｂで農作業したときのものとし、６回目の排出イベントの開始時を起点として、当該起点前までに収集した水分及び食味は、圃場Ａで農作業したものとする。
【００５２】
以上のように、コンバイン２によって圃場Ａや圃場Ｂで農作業を行いながら農作業情報を収集した場合であっても、情報対応関係判定部４２によって、圃場Ａに対応する農作業情報と、圃場Ｂに対応する農作業情報との区別をすることができる。即ち、複数の圃場３で農作業して得られた農作業情報が、どの圃場３に対応しているかを正確に判定されて分けることができるため、各圃場３における農作業情報が、混同することを防止することができる。
【００５３】
なお、農作業情報管理システム１を、図９に示すように、携帯端末５０と、管理サーバ５１とで構成してもよい。言い換えれば、農作業情報管理装置６の機能を、携帯端末５０と管理サーバ５１とで構成してもよい。
携帯端末５０は、例えば、比較的演算能力の高いスマートフォン（多機能携帯電話）やタブレットＰＣ等の携帯型コンピュータ等で構成され、ネットワークを介して管理サーバ５１にアクセスできるようになっている。この携帯端末５０は、上述した農作業情報管理装置６と同様に、位置変化演算部４０と、ズレ量演算部４１と、情報対応関係判定部４２とを備えている。位置変化演算部４０、ズレ量演算部４１及び情報対応関係判定部４２は、上述した実施形態と同様であるため説明を省略する。
【００５４】
位置変化演算部４０及びズレ量演算部４１において、演算を行うときに必要な作業位置や地図データなどデータ（情報）は、携帯端末５０が管理サーバ５１にアクセスして情報
記憶部３０や地図データ記憶部３１から取得するようになっている。即ち、携帯端末５０は、管理サーバ５１から演算に必要な情報を適宜取得して、上述した農作業管理装置６と同様にズレ量に基づいて、農業機械がどの圃場で農作業を行ったか判定することができる。なお、図９では、位置変化演算部４０、ズレ量演算部４１、情報対応関係判定部４２の全てを携帯端末５０に設けているが、これらの一部を管理サーバ５１に設けて、携帯端末５０と管理サーバ５１とでデータ通信を行いながらズレ量を求めるようにしてもよい。
【００５５】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
上述した実施形態では、農業機械の１つであるコンバイン２について説明したが、田植機に適用することも可能である。田植機においては、例えば、施肥の開始や終了を行う動作をイベント発生とすることができ、ズレ量演算部４１で求めたズレ量と田植機のイベント発生（施肥開始、終了等）とに基づいて、農作業（田植え）を行ったときの作業位置が地図データで示されたどの圃場に対応しているかを判定することができる。
【００５６】
また、農作業情報管理装置６を、無線通信機器２７と通信可能な携帯端末で構成してもよい。これに加え、携帯端末に位置検出装置２５の機能を設けておけば、ユーザが携帯端末を持って農業機械に乗車するだけで、農作業を行いながら携帯端末に農作業情報及び作業位置を取り込むことができ、さらには、携帯端末を用いて整理も行うことができる。
【符号の説明】
【００５７】
１  農作業情報管理システム
２  農業機械（コンバイン）
３  圃場
６  農作業情報管理装置
１１  走行装置
１２  機体
１３  運転席
１４  エンジン
１５  脱穀装置
１６  グレンタンク
１７  刈取部
２０  水分測定部
２１  食味測定部
２２  収穫量測定部
２３  測定ケース
２５  位置検出装置
２６  制御装置
２７  無線通信機器
３０  情報記憶部
３１  地図データ記憶部
３２  情報整理部
４０  位置変化演算部
４１  ズレ量演算部
４２  情報対応関係判定部
【図１】
2014071705.tif 000003
【図２】
2014071705.tif 000004
【図３】
2014071705.tif 000005
【図４】
2014071705.tif 000006
【図５】
2014071705.tif 000007
【図６】
2014071705.tif 000008
【図７】
2014071705.tif 000009
【図８】
2014071705.tif 000010
【図９】
2014071705.tif 000011
【図１０】
2014071705.tif 000012